(57)【要約】      （修正有）【課題】入側口金から遮断弁に至るガス流入経路において、圧損を可及的に低減するガスの流入路形状を持った膜式ガスメーターを提供する。【解決手段】ガスの遮断弁を組み付けてなる膜式ガスメーターにおいて、ガスメーター本体の上ケース内の天面に形成されたガスの流入口金から鉛直方向に向けて縦流路８を形成すると共に、この縦流路８の下端に一部がかかるように遮断弁取付空間を形成することにより、ガスの流入経路６において、コーナー部分を無くす。【選択図】図３
2015206658.tif 000002
【特許請求の範囲】
【請求項１】
ガスメーター本体の下段に形成した計量室内に一対の計量膜を組み付けると共に、前記ガスメーター本体の上段に形成した計量室内に流入するガスの入側の流入経路とこの流入経路内に緊急時に作動するガスの遮断弁を組み付けてなる膜式ガスメーターにおいて、上ケースの天面に形成されたガスの流入口金から鉛直方向に形成された縦流路の下端に一部かかるように遮断弁取付空間を形成し、この遮断弁取付空間の前壁に遮断弁取付用のフランジ穴を形成すると共にこのフランジ穴に対向する遮断弁取付空間の後壁に弁シートを形成してなる膜式ガスメーター。
【発明の詳細な説明】
【技術分野】
【０００１】
本発明は、ダイキャストボディからなるガスメーター本体の下ケース内に計量室を形成し、上ケースにはこの上面に入側口金と出側口金を形成し、更に上ケース内であって、緊急時にガスの流れ（計量）を遮断する遮断弁をガスの流入経路内に取り付けた所謂膜式ガスメーターに関し、更に詳しくは、前記入側口金と遮断弁間に形成されたガスの流入経路において、ガスの流動抵抗（圧損）を可及的に低減できる膜式ガスメーターに関する。
【背景技術】
【０００２】
従来の膜式ガスメーターの場合、その要請として小型化が求められているため、上ケース内において入側口金から鉛直方向に向けて形成された縦流路と遮断弁取付流路を結ぶコーナー部分は直角に形成されている。
【０００３】
また、膜式ガスメーターの下ケースと上ケースはダイキャスト成形方式のため、前記ガスの流入流路は、入側口金方向に抜く抜き型と、遮断弁を取り付ける流路は上ケースにおいて正面方向に抜く抜き型が用いられている。
【０００４】
このように、従来の方式でガスの流入経路を形成した場合、肉抜き方向が縦方向と水平方向において行われるため、コーナー部分の流路は鉛直方向と水平方向が交わる直角となり、然も流路径以上にはならないため、圧損がどうしても大きくなるという問題がある。
【０００５】
因に、本発明が対象としている膜式ガスメーターの流路径状は特開２０１１−１６９８２６号公報において見られるようにそのコーナー部分は直角形状を呈している。
【先行技術文献】
【特許文献】
【０００６】
【特許文献１】特開２０１１−１６９８２６号公報
【発明の概要】
【発明が解決しようとする課題】
【０００７】
本発明は、入側口金から遮断弁に至るガス流入経路において、圧損を可及的に低減するガスの流入路形状を持った膜式ガスメーターを提供することが目的である。
【課題を解決するための手段】
【０００８】
上記目的を達成するため請求項１に記載の発明は、膜式ガスメーターにおいて、ガスメーター本体の下段に形成した計量室内に一対の計量膜を組み付けると共に、前記ガスメーター本体の上段に形成した計量室内に流入するガスの入側の流入経路とこの流入経路内に緊急時に作動するガスの遮断弁を組み付けてなる膜式ガスメーターにおいて、上ケースの天面に形成されたガスの流入口金から鉛直方向に形成された縦流路の下端に一部かかるように遮断弁取付空間を形成し、この遮断弁取付空間の前壁に遮断弁取付用のフランジ穴を形成すると共にこのフランジ穴に対向する遮断弁取付空間の後壁に弁シートを形成してなることを特徴とするものである。
【発明の効果】
【０００９】
上記膜式ガスメーターにおいて、本発明は、入側ガス流入経路において縦流路の下端に一部かかるように遮断弁の取付空間を形成したことにより、遮断弁に至るガス流入経路のコーナー部分に十分な空間を形成できるため、流入したガスは直接遮断弁の取付空間内に入り、コーナー部を経由しないため、ガスの圧損を従来の流路形式に比較して大幅に低減できる。
【図面の簡単な説明】
【００１０】
【図１】膜式ガスメーターの外観の説明図
【図２】Ａ−Ａ’線断面図
【図３】入側流入経路と遮断弁の取付空間を示す説明図
【図４】遮断弁の取付状態を示す断面図
【図５】遮断弁の取付状態を上方から見た説明図
【図６】（Ａ）（Ｂ）本発明に係るガスの入側流入経路と遮断弁取付空間の説明図
【図７】ガスの入側流入経路を形成する抜き型の説明図
【発明を実施するための形態】
【００１１】
図１乃至図６に基づいて本発明の実施例を詳細に説明する。
【００１２】
図１において、１はガスメーター本体であって、このガスメーター本体１は内部に計量室を形成し、この計量室内に一対の計量膜を組み付けた下ケース２と、内部に機械室及び計測回路等を組み付けた上ケース３からなる。
【００１３】
また、上ケース３内には、図２乃至図６示すように入側口金４から入ったガスが遮断弁に至る流入経路６と計量室から出たガスが出側口金５に至るガス流出路７が形成されている。
【００１４】
更に詳しくガスの流入経路６について説明すると、入側口金４の下方には、鉛直方向に縦流路８が形成されていると共にこの縦流路８の下端に一部かかるように遮断弁取付用空間９が形成されている。
【００１５】
また、遮断弁取付空間９の前壁にはフランジ口１０が形成され、このフランジ口１０に遮断弁１１がフランジ１１ｂを用いて取り付けられ、遮断弁取付空間９の後壁には弁シート１３が形成されている。
【００１６】
１２は、前記縦流路８の下端部のコーナー部分に形成された円曲面である。
【００１７】
遮断弁１１は、地震センサー（図示せず）あるいはガス圧センサー（図示せず）からの信号で作動し、遮断弁１１の弁１１ａが弁シート１３に密着して計量室に至るガスを止める。１４は遮断弁のリセットボタン、１５は表示窓である。
【００１８】
次に、上記したガスメーター本体１の上ケース３内に形成されたガスの流入経路６の成形方法を図７に基づいて説明すると、入側口金４から鉛直方向に入る下向きの縦流路８は、上方に抜く抜き型Ａで形成され、遮断弁取付空間９は上ケース３の正面方向に抜く抜き型Ｂで形成される。
【００１９】
以上のとおり、本発明は、ガスの流入経路６において、下向きの縦流路８の下端に一部かかるように遮断弁取付空間９を形成することにより、縦流路８から直接遮断弁取付空間９内に流入するため、ガスの圧損を従来に比較して大幅に低減することができる。
【００２０】
また、縦流路８の下端に円曲面１２を形成したことにより、遮断弁取付空間９内に流入するガスの流れをスムーズにすることができる。
【符号の説明】
【００２１】
１  ガスメーター
２  下ケース
３  上ケース
４  入側口金
５  出側口金
６  ガスの流入経路
７  ガスの流出路
８  縦流路
９  遮断弁取付空間
１０  フランジ口
１１  遮断弁
１１ａ  弁
１１ｂ  フランジ
１２  円曲面
１３  弁シート
１４  リセットボタン
１５  表示窓
【図１】
2015206658.tif 000003
【図２】
2015206658.tif 000004
【図３】
2015206658.tif 000005
【図４】
2015206658.tif 000006
【図５】
2015206658.tif 000007
【図６】
2015206658.tif 000008
【図７】
2015206658.tif 000009